(57)【要約】【課題】ボイラ本体内における缶水が濃縮されているか否かを精度良く判定できるボイラ装置を提供することである。【解決手段】蒸気を発生するボイラ本体と、ボイラ本体からの蒸気を気水分離するセパレータと、セパレータの下部とボイラ本体の下部とを接続する降水管と、降水管内の導電率を算出する導電率算出部と、所定の燃焼量以下の状態が一定時間以上継続し、かつ、導電率算出部によって算出された導電率が第１の値以下のとき、所定の燃焼量よりも高い燃焼量に制御する制御部とを備える。【選択図】図２
2020003094.tif 000002
【特許請求の範囲】
【請求項１】
蒸気を発生するボイラ本体と、
前記ボイラ本体からの蒸気を気水分離するセパレータと、
前記セパレータの下部と前記ボイラ本体の下部とを接続する降水管と、
前記降水管内の導電率を算出する導電率算出部と、
所定の燃焼量以下の状態が一定時間以上継続し、かつ、前記導電率算出部によって算出された導電率が第１の値以下のとき、前記所定の燃焼量よりも高い燃焼量に制御する制御部とを備える、ボイラ装置。
【請求項２】
前記制御部は、前記導電率算出部により算出された導電率が前記第１の値よりも高い第２の値以上となったとき、前記ボイラ本体の缶水の排出を開始し、その後、所定時間が経過するか、または、前記導電率算出部により算出された導電率が前記第２の値よりも低い第３の値未満で前記ボイラ本体の缶水の排出を停止する、請求項１に記載のボイラ装置。
【発明の詳細な説明】
【技術分野】
【０００１】
本発明は、燃料を燃焼させて蒸気を生成するボイラ装置に関する。
【背景技術】
【０００２】
従来より、ボイラ本体からの蒸気のうち、セパレータによって分離された水分の導電率を算出し、当該導電率が所定値を超えたときにボイラ本体の缶水が濃縮されているとみなし、排水ブローを行うものがあった（例えば、特許文献１）。
【先行技術文献】
【特許文献】
【０００３】
【特許文献１】特開２００２−２４３１０７号公報
【発明の概要】
【発明が解決しようとする課題】
【０００４】
しかしながら、ボイラの燃焼量が低い状態においては、ボイラ本体内における缶水の沸騰が緩慢になるため、導電率を算出する対象部位に缶水が到達し難くなる。このため、ボイラの燃焼量が低い状態においては、ボイラ本体内における缶水が実際には濃縮されている一方、算出される導電率は低い値のままといった状況となる。その結果、セパレータにより分離された水（分離水）の導電率からでは、ボイラ本体内における缶水が濃縮されているか否かを精度良く判定できない虞があった。
【０００５】
本発明は、かかる実情に鑑み考え出されたものであり、その目的は、ボイラ本体内における缶水が濃縮されているか否かを精度良く判定できるボイラ装置を提供することである。
【課題を解決するための手段】
【０００６】
上記目的を達成するために、本発明のある局面に従うボイラ装置は、蒸気を発生するボイラ本体と、前記ボイラ本体からの蒸気を気水分離するセパレータと、前記セパレータの下部と前記ボイラ本体の下部とを接続する降水管と、前記降水管内の導電率を算出する導電率算出部と、所定の燃焼量以下の状態が一定時間以上継続し、かつ、前記導電率算出部によって算出された導電率が第１の値以下のとき、前記所定の燃焼量よりも高い燃焼量に制御する制御部とを備える。
【０００７】
上記の構成によれば、降水管内の導電率が第１の値以下であっても、所定の燃焼量以下の状態が一定時間以上継続しておりボイラ本体内における缶水が濃縮されている虞がある場合には、所定の燃焼量よりも高い燃焼量に制御されることにより、ボイラ本体内における缶水を降水管へ流入させることができる。その結果、ボイラ本体内における缶水が濃縮されているか否かを精度良く判定できる。
【０００８】
好ましくは、前記制御部は、前記導電率算出部により算出された導電率が前記第１の値よりも高い第２の値以上となったとき、前記ボイラ本体の缶水の排出を開始し、その後、所定時間が経過するか、または、前記導電率算出部により算出された導電率が前記第２の値よりも低い第３の値未満で前記ボイラ本体の缶水の排出を停止する。
【０００９】
上記の構成によれば、ボイラ本体内における缶水が濃縮されている可能性が高いときにボイラ本体内における缶水を適量排水できる。その結果、濃縮された状態のままで運転が継続されてしまうことや、ボイラ本体内における缶水が排水され過ぎてしまい燃焼効率を極端に低下させてしまうことなどを防止できる。
【図面の簡単な説明】
【００１０】
【図１】ボイラ装置の概略構成を説明するための図である。
【図２】状態制御処理の一例を説明するためのフローチャートである。
【発明を実施するための形態】
【００１１】
＜概略構成について＞
以下に、図面を参照しつつ、本発明の実施形態について説明する。まず、図１を参照して、本実施の形態に係るボイラ装置１の概略構成について説明する。ボイラ装置１は、図１に示すように、ボイラ本体２と、ボイラ本体２内に空気を送り込む送風機３と、ボイラ本体２に燃料を供給する燃料供給ライン２１とを備える。燃料は、油である例について説明するが、油などの液体に限らず、ガスなどの気体であってもよい。
【００１２】
燃料供給ライン２１には、ボイラ本体２に供給する燃料の流量を調整可能である圧力調整弁として機能するとともに遮断機能を備える燃料調整弁２１ａが設けられている。燃料調整弁２１ａは、例えば、モータバルブにより構成されるが、燃料の流量を調整するものであればモータバルブに限らず、空気式制御弁であってもよい。燃料供給ライン２１から供給される燃料は、ボイラ本体２内のバーナ２０に供給され、送風機３から送風される燃焼用空気と混合されて燃焼する。燃焼用空気の流量の調整は、空気供給路に設けられているダンパの開度か、これに代えてまたはこれに加えて、インバータを用いて送風機３のファンの回転速度（周波数）により行う。
【００１３】
ボイラ本体２は、下部に給水配管２２を、上部に蒸気配管６を接続して、下部から給水を行って上部から蒸気を取り出す。ボイラ装置１は、ボイラ本体２内のバーナ２０で燃料を燃焼させ缶水を加熱・沸騰させることにより蒸気を生成する。生成した蒸気は、沸き上がった缶水とともに連絡管４を介してセパレータ５に流入して、当該セパレータ５により分離されて蒸気配管６から取り出される。また、セパレータ５の下部とボイラ本体２の下部とを接続する降水管７が設けられており、セパレータ５により分離された缶水は、降水管７を通してボイラ本体２に戻される。
【００１４】
降水管７には、導電率算出部９が設けられている。導電率算出部９は、例えば、抵抗値を検知するセンサー（電極）を備え、抵抗値から降水管７内における水の導電率を算出する。導電率算出部９は、制御部１０と電気的に接続されており、算出した降水管７内の導電率を特定するための導電率情報を制御部１０に入力することができる。
【００１５】
また、降水管７には、途中にボイラ本体２の缶水を排出するブロー配管８が接続されている。ブロー配管８にはブロー弁８ａが設けられている。ブロー弁８ａを開くことにより、ボイラ本体２内の缶水の排出（ブロー）を行うことができる。
【００１６】
制御部１０は、内部にメモリ、タイマ、および演算処理部を含むコンピュータにより実現される。制御部１０は、ボイラにより発生した蒸気を集合させる蒸気ヘッダの圧力値に基づいて燃焼量が異なる複数種類の燃焼状態（例えば、低燃焼状態、高燃焼状態）のうちのいずれかに制御する。
【００１７】
また、制御部１０は、状態制御処理を実行することにより、複数種類の燃焼状態のうち燃焼量が最も低い低燃焼状態に制御しているときに、導電率算出部９から入力される降水管７内の導電率情報に基づいて、燃焼量が高い高燃焼状態に一時的に制御するための処理や、導電率情報およびブロー弁８ａの開状態継続時間などに基づいてブロー弁８ａを開閉させて缶水の排出を制御するための処理を行う。
【００１８】
ボイラ装置による燃焼が行われると、一般的に、ボイラ本体内の缶水は濃縮される。缶水が濃縮された状態においては、塩化物イオンや硫化物イオンなどの高濃度化により装置が腐食しやすく、また、カルシウム等の金属イオンやマグネシウムの炭酸塩等の難水溶性物質などに起因するスケールが発生しやすくなる。このような不具合の発生を防止するために、従来のボイラ装置として、沸き上がりによって降水管内に流入する水の導電率が所定値を超えたときにボイラ本体の缶水が濃縮されているとみなし、缶水の排水（ブロー）を行うブロー処理を行うものがある。しかしながら、燃焼量が低い燃焼状態（例えば、低燃焼状態）においては、沸騰が緩やかであるために沸き上がりによって降水管内に入り込む缶水の量が減少する。このため、燃焼量が低い燃焼状態において一定時間に亘り継続して運転しているような特定の運転状況であるときには、ボイラ本体内の缶水の実際の導電率と、降水管内における水に基づき算出される導電率との乖離が大きくなる。その結果、ボイラ本体内の缶水が濃縮しているか否かを精度良く判定することが困難となり、ボイラ本体内の缶水が実際には濃縮しているにもかかわらず、適切にブロー処理を行うことができないといった不具合が生じてしまう。
【００１９】
これに対し、本実施の形態におけるボイラ装置１においては、従来からのブロー処理に加えて、状態制御処理を実行する。これにより、特定の運転状況下においても、ボイラ本体２内における缶水が濃縮されているか否かを精度良く判定できる。以下に、状態制御処理について詳細に説明する。
【００２０】
＜状態制御処理について＞
図２は、状態制御処理の一例を説明するためのフローチャートである。制御部１０は、一定期間（例えば１秒）毎に状態制御処理を開始するものであって、一旦開始された状態制御処理を終了するまで実行する。
【００２１】
ステップＳ０１では、低燃焼状態で一定時間以上稼働中であるか否かを判定する。ステップＳ０１において低燃焼状態で一定時間以上稼働中であると判定されなかったときには、状態制御処理を終了する。一方、ステップＳ０１において低燃焼状態で一定時間以上稼働中であると判定されたときには、ステップＳ０２に移行する。ステップＳ０１における低燃焼状態は、燃焼量が本発明における「所定の燃焼量以下の状態」となる燃焼状態の一例である。所定の燃焼量は、その燃焼量で燃焼状態が継続されたとしても、缶水の沸騰が緩慢であるために缶水がセパレータ５に流入しにくい状態となる燃焼量である。なお、「所定の燃焼量以下の状態」とは、燃焼していない停止状態を含むものではなく、燃焼量が所定の燃焼量以下となる燃焼状態をいう。本実施形態では、所定の燃焼量以下となる燃焼状態として低燃焼状態を例示するが、例えば所定の燃焼量以下となる燃焼状態が複数存在するようなボイラ装置においてはこれら所定の燃焼量以下となる複数の燃焼状態各々が「所定の燃焼量以下の状態」に相当する。
【００２２】
ステップＳ０２では、降水管７内の導電率が第１の値以下の値を示しているか否かを判定する。ステップＳ０２において、降水管７内の導電率が第１の値以下の値を示していると判定されなかったときには、状態制御処理を終了する。一方、ステップＳ０２において降水管７内の導電率が第１の値以下の値を示していると判定されたときには、ステップＳ０３において高燃焼状態に移行する。第１の値の導電率は、缶水の排出（例えば、従来からのブロー処理）が必要となると定められている導電率よりも、低い値に設定されているものであればよい。ステップＳ０３における高燃焼状態は、燃焼量が本発明における「所定の燃焼量よりも高い燃焼量」となる燃焼状態である。所定の燃焼量よりも高い燃焼量は、その燃焼量で燃焼状態が継続されることにより缶水の沸騰が活発になり沸き上がりが多くなるために、缶水がセパレータ５を介して降水管７に流入しやすい状態となる燃焼量である。このため、ステップＳ０３において高燃焼状態に移行されることにより、缶水を降水管７内に流入させることができ、その結果、ボイラ本体内における缶水が濃縮されているか否かを精度良く判定することができる。
【００２３】
ステップＳ０４では、移行終了条件が成立しているか否かを判定する。移行終了条件は、缶水が降水管７内に流入することにより缶水の濃縮を精度良く判定できる状態となっているとみなすことができるときに成立し、例えば、高燃焼状態に移行してから所定時間経過することにより成立する。所定時間は、例えば、降水管７内の水が、高燃焼状態に移行させることによって降水管７に流入した缶水に入れ替われるのに要する平均的な時間が設定されているものであってもよく、また、降水管７内に入り込む缶水が導電率算出部９に到達するのに要する平均的な時間が設定されているものであってもよい。なお、移行終了条件は、これに限らず、高燃焼状態に移行後に降水管７内の導電率が所定の値に到達することにより成立するものであってもよい。所定の値とは、例えば、第１の値よりも高く、後述する第２の値よりも低い値であってもよい。また、移行終了条件は、降水管７内に水位センサを設けて、当該水位センサにより検知される水位が所定値となることにより成立するものなどであってもよい。
【００２４】
ステップＳ０４において移行終了条件が成立していると判定されなかったときには、処理をステップＳ０４の前に戻す。一方、ステップＳ０４において移行終了条件が成立していると判定されたときには、ステップＳ０５において低燃焼状態に移行する。
【００２５】
ステップＳ０６では、降水管７内の導電率が、第１の値よりも高い第２の値以上の値を示しているか否かを判定する。第２の値は、缶水の排出（従来からのブロー処理）が必要となると定められている導電率と同じ値であってもよく、第１の値よりも高い値であれば当該導電率よりも低い値であってもよい。ステップＳ０６において、降水管７内の導電率が第２の値以上の値を示していると判定されなかったときには、状態制御処理を終了する。一方、ステップＳ０６において降水管内の導電率が第２の値以上の値を示していると判定されたときには、ステップＳ０７においてブロー弁８ａを開状態に制御する。これにより、ボイラ本体内における缶水が濃縮されているとみなして、缶水の排水（ブロー）を実行することができる。
【００２６】
ステップＳ０８では、ブロー弁８ａを開状態にしてから所定時間が経過したか否かを判定する。ステップＳ０８における所定時間は、例えば、濃縮された缶水が排出されて給水配管２２から新たに給水されることにより、装置の腐食やスケールなどが生じにくくなる程度までボイラ本体２内の缶水の濃縮度（導電率）を低下させるために要する平均的な時間が設定されている。所定時間は、ボイラ装置の大きさや形状に応じて異なる。
【００２７】
ステップＳ０８においてブロー弁８ａを開状態にしてから所定時間が経過していると判定されなかったときには、ステップＳ１０へ移行する。ステップＳ１０では、降水管７内の導電率が、第２の値よりも低い第３の値未満の値を示しているか否かを判定する。ステップＳ１０における第３の値は、装置の腐食やスケールなどが生じにくくなる導電率である。ステップＳ１０の処理後においても継続する低燃焼状態において再びステップＳ０２における判定処理を適切に行うようにするために、第３の値は第１の値以下の値に設定することが好ましい。ステップＳ１０において、降水管７内の導電率が第３の値未満の値を示していると判定されなかったときには、処理をステップＳ０８の前に戻す。
【００２８】
一方、ステップＳ０８においてブロー弁８ａを開状態にしてから所定時間が経過したと判定されたときや、ステップＳ１０において降水管７内の導電率が第３の値未満の値を示していると判定されたときには、ステップＳ０９へ移行する。ステップＳ０９では、ブロー弁８ａを閉状態として缶水の排水（ブロー）を終了し、状態制御処理を終了する。
【００２９】
＜動作について＞
本実施の形態におけるボイラ装置１では、低燃焼状態での稼働が一定時間以上となった場合において（ステップＳ０１、ＹＥＳ）、降水管７内の導電率が第１の値以下であるとき（ステップＳ０２、ＹＥＳ）には、低燃焼状態よりも燃焼量が大きい高燃焼状態に移行する（ステップＳ０３）。高燃焼状態に移行すると、ボイラ本体２内での缶水の沸騰が活発になり、沸き上がりによって連結管４に入り込む缶水の量が増加する。これにより、ボイラ本体２内における缶水が濃縮されているか否かを精度良く判定できる。
【００３０】
また、高燃焼状態に移行してから移行終了条件が成立したとき（ステップＳ０４、ＹＥＳ）には、すでに、缶水の濃縮を精度良く判定できる状態となっているため、高燃焼状態を継続させる必要はなくなる。このため、再び低燃焼状態に移行する（ステップＳ０５）。再び低燃焼状態に移行させたときの降水管７内の導電率が第２の値以上であれば（ステップＳ０６、ＹＥＳ）、缶水が濃縮されているとみなし、ブロー弁８ａを開き、ブロー配管８からボイラ本体２の缶水の排出を開始する（ステップＳ０７）。ブロー弁８ａを開いてから所定時間が経過するか（ステップＳ０８、ＹＥＳ）、または、導電率算出部９により算出された導電率が第２の値よりも低い第３の値未満となれば（ステップＳ１０、ＹＥＳ）、ブロー弁８ａを閉じて、ボイラ本体２の缶水の排出を停止する（ステップＳ０９）。これにより、ボイラ本体２内における缶水が濃縮されている可能性が高いときにボイラ本体２内における缶水を適量排水できる。その結果、濃縮された状態のままで運転が継続されてしまうことや、ボイラ本体２内における缶水が排水され過ぎてしまい燃焼効率を極端に低下させてしまうことなどを防止できる。
【００３１】
本発明は、上記の実施の形態に限られず、種々の変形、応用が可能である。以下、本発明に適用可能な上記の実施の形態の変形例などについて説明する。
【００３２】
上記実施の形態においては、ボイラ装置１が、低燃焼状態、高燃焼状態、および燃焼停止状態のいずれかに制御可能となるいわゆる三位置制御ボイラにより構成される例について説明した。しかし、ボイラ装置１を構成するボイラは、これに限らず、例えば、三位置制御ボイラに加えて、低燃焼状態、中燃焼状態、高燃焼状態、および燃焼停止状態のいずれかに制御可能となるいわゆる四位置制御ボイラであってもよい。四位置制御ボイラの場合、所定の燃焼量以下の状態（ステップＳ０１における低燃焼状態）を低燃焼状態とし、所定の燃焼量よりも高い燃焼量（ステップＳ０３における高燃焼状態）を中燃焼状態または高燃焼状態とする。また、ボイラ装置１を構成するボイラは、例えば、負荷率２０％〜５０％まで比例制御可能な比例制御状態と、比例制御状態よりも負荷率が高い高燃焼状態とに制御可能となるようなボイラであってもよい。この場合、所定の燃焼量以下の状態（ステップＳ０１における低燃焼状態）を、前記比例制御状態における負荷率が、例えば５０％以下の範囲、具体的には、３０％〜４０％の範囲である場合を低燃焼状態として判断することができる。
【００３３】
上記の実施の形態では、ボイラ本体２を１台有するボイラ装置１の例について説明した。しかし、本発明は、ボイラ本体を複数台設置した多缶設置システムにも適用することができる。多缶設置システムにおいては、負荷状況に応じて運転台数を制御する台数制御方法が採用される。この台数制御方法では、各ボイラ本体には運転の優先順位があらかじめ設定されており、優先順位の高いボイラ本体が高燃焼状態で運転されている際に、優先順位の低いボイラ本体については低燃焼状態で待機を続けることが生じうる。その場合、前記の低燃焼状態で待機を続けるボイラ本体については、上記の実施の形態で示すように導電率が精度良く判定できない場合がある。このボイラ本体について、本発明を適用することで、ボイラ本体内における缶水が濃縮されているか否かを精度良く判定することが可能となる。なお、多缶設置システムにおいては、低燃焼状態を継続している一部のボイラ装置についてステップＳ０３で高燃焼状態に移行させる場合には、他のボイラ装置はそのタイミングで低燃焼状態に移行させるとよい。これにより出力のバランスを取り、ボイラ装置全体の出力を一定状態としつつ、本実施形態の状態制御処理を行うことができる。
【００３４】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００３５】
１  ボイラ装置
２  ボイラ本体
３  送風機
４  連絡管
５  セパレータ
６  蒸気配管
７  降水管
８  ブロー配管
８ａ  ブロー弁
９  導電率算出部
１０  制御部
２０  バーナ
２１  燃料供給ライン
２１ａ  燃料調整弁
２２  給水配管
【図１】
2020003094.tif 000003
【図２】
2020003094.tif 000004